(57)【特許請求の範囲】
【請求項１】
ロッカーボックスの扉の開放を規制する錠装置を備えるとともに、該錠装置の施解錠操作を不能にした初期状態から、所定の条件により該錠装置に対する任意の施解錠操作を可能にして利用者が自由にロッカーを使用できる自由利用状態となるようにしたロッカー装置において、
前記自由利用状態が予め設定された設定時間で終了するものであり、
前記自由利用状態時に、前記錠装置が解錠された後、前記扉が閉状態で施錠操作が無い状態が所定時間持続したとき、前記錠装置を前記初期状態に戻すとともに、
前記自由利用状態の前記設定時間の経過後は、前記錠装置の１回の解錠が可能で該解錠および扉の閉状態により、該錠装置を前記初期状態に戻すようにしたことを特徴とするロッカー装置。
【請求項２】
前記自由利用状態とする前記所定の条件が、所定料金の投入によるものであることを特徴とする請求項１記載のロッカー装置。
【請求項３】
前記自由利用状態の設定時間の経過後は、超過料金が発生していれば、該超過料金の投入により前記錠装置の解錠を可能にすることを特徴とする請求項１記載のロッカー装置。
【請求項４】
前記錠装置の施解錠と独立に前記扉の開放を規制するストッパを備え、前記初期状態は、該錠装置が解錠状態で前記ストッパにより前記扉の開放を規制する状態であり、前記錠装置の施錠状態で、前記ストッパにより、さらに扉の開放を規制するようにしたことを特徴とする請求項１または請求項２または請求項３記載のロッカー装置。
【発明の詳細な説明】
【０００１】
【発明の属する技術分野】
本発明は、プールや大型浴場などのレジャー施設等で利用者が使用するロッカー装置に関する。
【０００２】
【従来の技術】
従来、上記のようなロッカー装置として、施設の営業開始時など、初期状態では錠装置の施解錠操作が不能になっており、利用料金を投入することにより、錠装置が施解錠可能になり、その後はフリータイム（自由利用状態）となり、錠装置に対する任意の施解錠操作が可能となるものがある。これにより、利用者はロッカーを自由に利用することができる。
【０００３】
【発明が解決しようとする課題】
しかし、上記従来のロッカー装置では、利用者が自由にロッカーを使用できるようなサービスを提供することができる反面、利用者が途中でロッカーの使用をやめてしまった場合、そのロッカーを他の利用者が無料で利用できることになり、ロッカーの稼働効率が低くなるという問題があった。また、このため、ロッカー装置を逐一点検する必要もあるが、管理に手間を要するという問題がある。
【０００４】
本発明は、錠装置の施解錠操作を不能にした初期状態から、所定の条件により該錠装置に対する任意の施解錠操作を可能にする自由利用状態となるようにしたロッカー装置において、ロッカーの稼働効率を高めるとともに、管理に手間がかからないロッカー装置を提供することを課題とする。
【０００５】
【課題を解決するための手段】
本発明の請求項１のロッカー装置は、ロッカーボックスの扉の開放を規制する錠装置を備えるとともに、該錠装置の施解錠操作を不能にした初期状態から、所定の条件により該錠装置に対する任意の施解錠操作を可能にして利用者が自由にロッカーを使用できる自由利用状態となるようにしたロッカー装置において、前記自由利用状態が予め設定された設定時間で終了するものであり、前記自由利用状態時に、前記錠装置が解錠された後、前記扉が閉状態で施錠操作が無い状態が所定時間持続したとき、前記錠装置を前記初期状態に戻すとともに、前記自由利用状態の前記設定時間の経過後は、前記錠装置の１回の解錠が可能で該解錠および扉の閉状態により、該錠装置を前記初期状態に戻すようにしたことを特徴とする。
【０００６】
上記のように構成された請求項１のロッカー装置によれば、自由利用状態時に、例えば利用者がロッカーの使用を途中でやめて、扉が閉状態で施錠操作が無い状態が所定時間持続すると、錠装置が初期状態に戻るので、その後はそのロッカー装置を任意に解錠操作できなくなり、新たに正規に利用可能なロッカー装置となる。また、自由利用状態の後でも利用者がロッカーの使用を終了するとロッカー装置が初期状態に戻るので、管理の手間を省くことができる。
【０００７】
本発明の請求項２のロッカー装置は、請求項１の構成を備えるとともに、前記自由利用状態とする前記所定の条件が、所定料金の投入によるものであることを特徴とする。
【０００８】
上記のように構成された請求項２のロッカー装置によれば、請求項１と同様な作用効果が得られるとともに、使用料の徴収を同時に行うことができる。
【００１１】
本発明の請求項３のロッカー装置は、請求項１の構成を備えるとともに、前記自由利用状態の設定時間の経過後、超過料金が発生していれば、該超過料金の投入により前記錠装置の解錠を可能にすることを特徴とする。
【００１２】
上記のように構成された請求項３のロッカー装置によれば、請求項１と同様な作用効果が得られるとともに、超過料金の徴収を同時に行うことができる。
【００１３】
本発明の請求項４のロッカー装置は、請求項１または請求項２または請求項３の構成を備えるとともに、前記錠装置の施解錠と独立に前記扉の開放を規制するストッパを備え、前記初期状態は、該錠装置が解錠状態で前記ストッパにより前記扉の開放を規制する状態であり、前記錠装置の施錠状態で、前記ストッパにより、さらに扉の開放を規制するようにしたことを特徴とする。
【００１４】
上記のように構成された請求項４のロッカー装置によれば、請求項１または請求項２または請求項３と同様な作用効果が得られるとともに、ストッパにより扉の開放が二重に規制されるので防犯性が高まる。
【００１５】
【発明の実施の形態】
以下、本発明の一実施形態について図面を参照して説明する。図６(A) は本発明の実施形態のロッカー装置の要部正面図、図６(B) は同ロッカー装置の要部側断面図である。図において、１は錠装置、２はロッカーボックスの扉、３はロッカーボックスの框部であり、錠装置１は、扉２の開閉時の自由端部に整合する框部３に配設されている。なお、図では１つのロッカー装置について図示しているが、実際の施設等では、同様のロッカー装置が複数台配置される。
【００１６】
錠装置１の扉２側には、図６(A) の矢印のように出没するタング１１およびストッパ１２が配置されており、施錠時にタング１１が錠装置１から突出すると扉２に係合して扉２が閉められた状態で開放が規制（ロック）され、解錠時にタング１１が錠装置１内に没入すると扉２が開放（アンロック）される。また、ストッパ１２が錠装置１から突出すると扉２に係合して扉２が閉められた状態で開放が規制され、ストッパ１２が錠装置１内に没入すると扉２が開放される。
【００１７】
錠装置１の前面カバー１３の上部には、ロッカーの利用料金や超過料金に相当する硬貨（例えば１００円硬貨）を投入する硬貨投入口１４が形成され、下方には料金表示等を行う表示窓１５が形成されている。また、前面カバー１３の略中央部には、キー４を挿入して施解錠行うシリンダ錠１６が配設さている。さらに、シリンダ錠１６の上方には、扉２の把手部２１に当接し、図６(B) の矢印のように出没する扉ピン１７が配設されている。
【００１８】
シリンダ錠１６は、施錠状態の時だけキー４を挿入したり抜いたりできるような構造になっている。これにより、利用者は施錠したときだけキー４を持ち歩くことができる。また、キー４によりシリンダ錠１６を解錠方向に回すと図示しない機構によりタング１１が錠装置１内に没入してタング解錠状態となり、施錠方向に回すと図示しない機構によりタング１１が錠装置１から突出してタング施錠状態となる。
【００１９】
錠装置１の内部において、硬貨投入口１４から投入される硬貨が通過する通路１４′の近傍にはフォトインタラプタａが配設されており、このフォトインタラプタａにより、硬貨の投入枚数が検出される。また、扉ピン１７の端部位置には扉検出スイッチｂが配設されており、扉２が閉められた状態では、把手部２１が扉ピン１７を錠装置１内に没入させ、扉ピン１７が扉検出スイッチｂをオンにする。また、扉２が開けられた状態では、把手部２１が扉ピン１７から離れ、この扉ピン１７は図示しない復帰手段により錠装置１から突出し、扉検出スイッチｂがオフになる。すなわち、扉検出スイッチｂのオン／オフで扉の開閉状態が検出される。
【００２０】
また、シリンダ錠１６の先端には図６(B) の矢印のように移動するシリンダピン１６′が配設されており、このシリンダピン１６′の端部近傍にはキー４の有無を検出するキースイッチｃが配設されている。キー４がシリンダ錠１６に挿入されると、シリンダピン１６′によりキースイッチｃがオンになり、キー４がシリンダ錠１６から引き抜かれると、シリンダピン１６′は図示しない復帰手段によりシリンダ錠１６側に移動し、キースイッチｃがオフになる。すなわち、キースイッチｃのオン／オフでキー４の有無が検出される。また、シリンダ錠１６の近傍には、このシリンダ錠１６の回動操作および回動方向を検出する操作検出スイッチｄが配設されている。そして、この操作検出スイッチｄにより、所定の方向に回動される解錠操作が検出され、また、反対の方向に回動される施錠操作が検出される。さらに、図示しない機構によりシリンダ錠１６を回動不能状態と回動可能状態に切換えるためのシリンダ用ソレノイドｅが配設されている。なお、シリンダ用ソレノイドｅがシリンダ錠１６を回動不能状態としているときは、このシリンダ用ソレノイドｅにより図示しないアームによって硬貨投入口１４への硬貨の投入が規制される。
【００２１】
また、錠装置１内には、ストッパ１２の出没動作を行わせるストッパ用ソレノイドｇ、表示窓１５に料金表示等を行うためのＬＥＤパネルｈが配設されている。さらに、制御基板ｉおよび制御回路ｊが配設されており、この制御回路ｊに、フォトインタラプタａ、扉検出スイッチｂ、キースイッチｃ、操作検出スイッチｄ、シリンダ用ソレノイドｅ、ストッパ用ソレノイドｇおよびＬＥＤパネルｈが接続されている。
【００２２】
図１は実施形態の錠装置１のブロック図である。制御回路ｊは、ＣＰＵ１０、ＲＯＭ２０、タイマ３０、Ｉ／Ｏ回路４０、ソレノイド駆動回路５０およびＬＥＤ駆動回路６０を備えており、ＣＰＵ１０、ＲＯＭ２０、タイマ３０およびＩ／Ｏ回路４０はマイクロコンピュータを構成している。フォトインタラプタａ、扉検出スイッチｂ、キースイッチｃ、操作検出スイッチｄはＩ／Ｏ回路４０に接続されている。また、シリンダ用ソレノイドｅおよびストッパ用ソレノイドｇはソレノイド駆動回路５０に接続され、このソレノイド駆動回路５０はＩ／Ｏ回路４０に接続されている。また、ＬＥＤパネルｈはＬＥＤ駆動回路６０に接続され、ＬＥＤ駆動回路６０はＩ／Ｏ回路４０に接続されている。
【００２３】
以上の構成により、制御回路ｊは、ＣＰＵ１０が、後述説明する制御プログラムを実行することにより、フォトインタラプタａによる硬貨検出の有無、扉検出スイッチｂによる扉２の開閉状態、キースイッチｃによるキー４の有無、操作検出スイッチｄによるシリンダ錠１６の操作状態に応じて、シリンダ用ソレノイドｅ、ストッパ用ソレノイドｇの駆動制御を行うとともに、ＬＥＤパネルｈの表示の制御を行う。なお、タイマ３０は、図示しないディップスイッチ等によって設定された時間を計時するものであり、この実施形態では、後述説明する基本タイマ、第１タイマおよび第２タイマの３種類のタイマの機能を果たす。
【００２４】
次に、実施形態のロッカー装置の機能と動作の概略を説明する。初期状態では、タング１１は錠装置１内に没入された解錠状態となっているが、ストッパ１２が突出して扉２は開閉できない状態になっている。また、キー４はシリンダ錠１６に挿入されて解錠位置にあり、シリンダ錠１６は回動不能状態とされている。利用者は使用料に相当する硬貨を投入すると、シリンダ錠１６が回動可能とされ、ストッパ１２が錠装置１内に没入されて扉２の開閉が可能となる。また、このとき、基本タイマがスタートされてこのロッカー装置の使用時の経過時間の計時が開始される。次に、荷物をロッカーに入れて、キー４を施錠方向に回すとタング１１が突出するとともにストッパ１２が突出し、扉の開放が規制されて施錠状態となり、キー４を引き抜くことができる。
【００２５】
上記ロッカー装置の使用開始（基本タイマスタート時）から所定時間は、キー４による施解錠操作が任意にできる自由利用状態になる。なお、この自由利用状態の期間を「フリータイム」という。また、フリータイムを過ぎると、一回のみの解錠操作が可能となる。さらに、基本時間を過ぎると超過料金分の硬貨を投入することにより一回のみの解錠操作が可能となる。
【００２６】
そして、フリータイムのとき、例えば利用者がロッカーの使用をやめて解錠したまま放置しておくと、第１タイマーで計時される時間の経過によりロッカー装置が自動的に初期状態に復帰する。なお、この実施形態では、フリータイム後の解錠時には一定の時間内であれば扉の開閉は自由にできる。これによって、荷物を取り忘れて扉を閉めてもすぐに取り出すことができる。
【００２７】
図３〜図５は制御回路ｊのＣＰＵ１０によって実行される制御プログラムの要部を示すフローチャートであり、同図に基づいて実施形態の動作を説明する。電源オンにより、ステップＳ１で、ロッカー装置を初期状態にセットする。なお、ステップＳ１の段階では、シリンダ錠１６は解錠位置にあり、タング１１は錠装置１内に没入された状態（タング解錠状態）になっている。そして、この初期状態にセットするとは、ストッパ用ソレノイドｇを駆動してストッパ１２を突出させた状態（ストッパ施錠状態）にし、シリンダ用ソレノイドｅを駆動してシリンダ錠１６を回動不能状態にし、表示窓１５に利用料金を表示することである。
【００２８】
上記初期状態へのセットが終わると、ステップＳ２でフォトインタラプタａにより利用料金が投入されるかを監視し、利用料金が投入されると、ステップＳ３で、シリンダ用ソレノイドｅを駆動してシリンダ錠１６を回動可能し、ストッパ用ソレノイドｇを駆動してストッパ１２を没入（ストッパ解錠）させる。そして、ステップＳ４で基本タイマをスタートさせる。なお、利用料金が投入されたときは料金表示は０円となる。
【００２９】
この状態で、利用者は扉２を開けることができ、荷物をロッカーボックスに収納して扉２を閉める。そこで、ステップＳ５で、操作検出スイッチｄにより施錠操作が行なわれるのを監視し、施錠操作が行なわれるとタング１１が突出（タング施錠）され、ステップＳ６でストッパ用ソレノイドｇを駆動してストッパ１２を突出（ストッパ施錠）させる。そして、ステップＳ７でキースイッチｃによりシリンダ錠１６でキー４が検出されなくなるか、すなわちキー４が抜かれるかを監視し、キー４が抜かれると、ステップＳ８に進む。
【００３０】
ステップＳ８では、キースイッチｃによりシリンダ錠１６でキー４が検出されるかを監視しており、ロッカー使用中の待機状態である。そして、キー４が検出されたら、ステップＳ９で基本タイマに基づいて現在がフリータイムであるか否かを判定し、フリータイムであれば図４のステップＳ１０に進み、フリータイムでなければ図５のステップＳ１７に進む。
【００３１】
図４のステップＳ１０では、操作検出スイッチｄにより解錠操作が行なわれるのを監視し、解錠操作が行なわれればタング１１が没入（タング解錠）され、ステップＳ１１でストッパ用ソレノイドｇを駆動してストッパ１２を没入（ストッパ解錠）させる。次に、ステップＳ１２で扉検出スイッチｂから扉閉の入力が有るかを監視し、扉閉の入力があれば、ステップＳ１３で第１タイマをスタートさせてステップＳ１４に進む。
【００３２】
ステップＳ１４では、操作検出スイッチｄにより施錠操作が有るか否か判定し、施錠操作が有れば図３のステップＳ６に進み、前記同様に施錠の制御を行う。ステップＳ１４で施錠操作がなければ、ステップＳ１５で扉検出スイッチｂから扉開の入力が有るかを判定し、扉開の入力があればステップＳ１２に戻り、扉開の入力がなければステップＳ１６で第１タイマがタイムアウトしたか否かを判定する。タイムアウトしていなければステップＳ１４に戻り、タイムアウトしていれば、図３のステップＳ１（初期状態のセット）に戻る。すなわち、タング解錠状態で、ストッパ施錠状態、シリンダ錠１６の回動不能状態、利用料金の表示状態となって、ステップＳ２で待機する。
【００３３】
ここで、ステップＳ１２では、利用者が解錠して扉２を開けた後、荷物の出し入れ等を行って扉２が閉められるのを監視しており、扉２が閉められると第１タイマがスタートする。そして、利用者が施錠操作すると施錠されて待機状態となり、再びキー４の検出で利用者が解錠するときステップＳ１３で第１タイマは再度スタートし直す（リスタート）。また、ステップＳ１２以降で、利用者が施錠操作をせずに、扉２の開閉を繰り返せば、扉２が閉じられる毎に第１タイマは再度スタートし直す。しかし、ステップＳ１２以降で施錠操作をせずにそのまま放置すると、ステップＳ１４→ステップＳ１５→ステップＳ１６→ステップＳ１４の繰り返しの後、ステップＳ１６で第１タイマがタイムアップになり、ステップＳ１でストッパ１２により施錠されて初期状態に戻る。
【００３４】
次に、図５の処理は、施錠状態でキー４が検出されてフリータイムでない場合、すなわち、フリータイム終了後に解錠操作を行おうとした場合の処理である。まず、ステップＳ１７で基本タイマに基づいて超過料金が有るか否か（発生しているか否か）を判定し、超過料金が無ければステップＳ１９に進み、超過料金が有ればステップＳ１８で超過料金に相当する硬貨が投入されたか否かを判定する。そして、超過料金が投入されなければステップＳ１７に戻り、超過料金が投入されれば、ステップＳ１９で操作検出スイッチｄにより解錠操作が有るか否かを判定する。解錠操作が無ければステップＳ１７に戻り、解錠操作が有ればタング１１が没入（タング解錠）され、ステップＳ２０でストッパ用ソレノイドｇを駆動してストッパ１２を没入（ストッパ解錠）させる。
【００３５】
次に、ステップＳ２１で扉検出スイッチｂから扉閉の入力が有るかを監視し、扉閉の入力があれば、ステップＳ２２で第２タイマをスタートさせてステップＳ２３に進む。ステップＳ２３では、扉検出スイッチｂから扉閉の入力が有るかを判定し、扉閉の入力が有ればステップＳ２２に戻り、扉閉の入力が無ければステップＳ２４で第２タイマがタイムアウトしたか否かを判定する。タイムアウトしていなければステップＳ２３に戻り、タイムアウトしていれば、図３のステップＳ１（初期状態のセット）に戻る。
【００３６】
なお、ステップＳ２１で、扉２が閉められているとステップＳ２２で第２タイマがスタートし、そのまま放置するとステップＳ２３→ステップＳ２４→ステップＳ２３の繰り返しの後、ステップＳ２４で第２タイマがタイムアップになり、初期状態に戻る。しかし、第２タイマがタイムアップする前に扉２を開けて閉めると、ステップＳ２３からステップＳ２２に戻って、第２タイマは再度スタートし直すので、ロッカーボックスに荷物を忘れて扉２を閉めてしまっても、しばらくは扉２を開けて荷物を取り出すことができる。このように、扉２を閉めても直ぐには初期状態に戻らないので、荷物の取り忘れやうっかり扉２を閉めてしまった場合でも、扉２がロックしてしまうなどの不都合がない。
【００３７】
図２はロッカー装置の利用状況に応じた動作の一例を概念的に示す図である。フリータイムと基本時間は基本タイマに基づいて判定される。先ず、図２(A) のように、フリータイム内で、解錠・施錠の操作を任意に行って荷物の出し入れ等を行うことができ、フリータイム後に、解錠操作を行って扉を閉めると、初期状態に戻る。これは、基本時間後の超過料金発生の場合も同様である。
【００３８】
一方、図２(B) のように、フリータイム内で、解錠して扉２を閉め、そのまま放置しておくと、第１タイマの計時期間の終了（タイムアップ）により、フリータイム（予め設定された時間）内であっても初期状態に戻る。このように、フリータイムのとき、利用者は施解錠を任意に行うことができるが、施錠しないで放置すると第１タイマがタイムアップして初期状態に戻り、このロッカー装置は、新たな利用者に対しても通常の形態で利用させることができる。
【００３９】
また、ロッカー装置が初期状態に戻るので、例えば施設の営業が終了後でもロッカー装置は２４時間稼働させておくことができ、さらに荷物を預けたままの場合には超過料金も自動的に徴収できるので、管理の手間が省ける。
【００４０】
また、施錠状態ではタング１１とストッパ１２により扉２の開放が二重に規制されるので、防犯性が高まる。
【００４１】
なお、実施形態では、フリータイムが基本時間より短い時間に設定されているように説明したが、基本時間を設けずにフリータイム終了後は超過料金を徴収するようにしてもよい。すなわちフリータイムと基本時間は同じ時間でもよい。
【００４２】
また、実施形態では、キーとシリンダ錠により施錠および解錠を行うようにしているが、カード式や暗証番号入力式のロッカー装置でもよい。
【００４３】
【発明の効果】
以上説明したように、本発明の請求項１のロッカー装置によれば、自由利用状態時に解錠し、例えば利用者がロッカーの使用を途中でやめて、扉が閉状態で施錠操作が無い状態が所定時間持続すると、錠装置が初期状態に戻るので、その後はそのロッカー装置を任意に解錠操作できなくなり、ロッカーの稼働効率が高まるとともに、自由利用状態以外でロッカー装置が初期状態に戻るので、管理に手間がかからない。
【００４４】
また、本発明の請求項２のロッカー装置によれば、請求項１と同様な効果が得られるとともに、使用料の徴収を同時に行うことができる。
【００４６】
また、本発明の請求項３ロッカー装置によれば、請求項１と同様な効果が得られるとともに、超過料金の徴収を同時に行うことができる。
【００４７】
また、本発明の請求項４のロッカー装置によれば、請求項１または請求項２または請求項３と同様な効果が得られるとともに、ストッパにより扉の開放が二重に規制されるので防犯性が高まる。
【図面の簡単な説明】
【図１】  本発明の実施形態の錠装置のブロック図である。
【図２】  本発明の実施形態におけるロッカー装置の利用状況に応じた動作の一例を概念的に示す図である。
【図３】  本発明の実施形態における制御プログラムの主にロッカー使用開始時の処理に係るフローチャートである。
【図４】  本発明の実施形態における制御プログラムの主にフリータイムの処理に係るフローチャートである。
【図５】  本発明の実施形態における制御プログラムの主にフリータイム後の処理に係るフローチャートである。
【図６】  本発明の実施形態におけるロッカー装置の要部正面図および要部側面図である。
【符号の説明】
１    錠装置
２    扉
３    框部
４    キー
１０  ＣＰＵ
１１  タング
１２  ストッパ
２０  ＲＯＭ
３０  タイマ
ａ    フォトインタラプタ
ｂ    扉検出スイッチ
ｃ    キースイッチ
ｄ    操作検出スイッチ
ｅ    シリンダ用ソレノイド
ｇ    ストッパ用ソレノイド
【図１】
0004057738.tif 000002
【図２】
0004057738.tif 000003
【図３】
0004057738.tif 000004
【図４】
0004057738.tif 000005
【図５】
0004057738.tif 000006
【図６】
0004057738.tif 000007